(57)【要約】【課題】毎週や毎日などの定期的に放送されるテレビ番組を視聴するためのプレイリストを自動的に作成でき、また視聴したプレイリストがどれであるかを記憶でき、ユーザの利便性を向上させることができる情報記録再生装置を提供する。【解決手段】毎週や毎日などの定期的な録画予約にて録画された番組の番組名がプレイリストに追加され、選択されたプレイリストが示す番組名のテレビ番組が再生され、再生が停止されたときリジューム情報がメモリに記憶される。プレイリストの選択がされ、通常の再生指示があったと判定されたとき、未視聴の番組があることが警告される。警告された後、最終再生ポイントを更新する指示があったと判定されたとき、またはリジューム情報に基づく最終再生ポイントから再生を行う指示があったと判定されたとき、最終再生ポイントから再生が行われる。最終再生ポイントから再生が行われた後、最終再生ポイントが更新される。【選択図】図４
2009037682.tif 000002
【特許請求の範囲】
【請求項１】
記録媒体に対してテレビ番組やその他の情報を記録したり、記録媒体に記録されたテレビ番組やその他の情報を再生したりする情報記録再生装置において、
毎週や毎日などの定期的な録画予約にて録画されたテレビ番組の番組名をプレイリストに追加するプレイリスト追加手段と、
選択されたプレイリストが示す番組名のテレビ番組が再生され、再生が停止されたとき、停止された位置を示すリジューム情報をメモリに記憶させるリジューム記憶手段と、
プレイリストの選択がされたとき、前記リジューム情報に基づく最終再生ポイントから再生を行う指示があったか否かを判定する再生指示判定手段と、
前記リジューム情報に基づく最終再生ポイントから再生を行う指示ではなく通常の再生指示があったと判定されたとき、未視聴のテレビ番組があることを警告する警告手段と、
前記未視聴のテレビ番組があることが警告された後、前記最終再生ポイントを更新する指示があったか否かを判定する更新指示判定手段と、
前記最終再生ポイントを更新する指示があったと判定されたとき、または前記リジューム情報に基づく最終再生ポイントから再生を行う指示があったと判定されたとき、前記最終再生ポイントから再生を行わせる再生制御手段と、
前記最終再生ポイントから再生が行われた後、前記最終再生ポイントを更新する最終再生ポイント更新手段と、を備えたことを特徴とする情報記録再生装置。
【請求項２】
前記リジューム情報としては、プレイリストのどこまで再生したかを示すプレイリスト停止位置情報と、再生しているテレビ番組の途中で停止した場合の当該テレビ番組の放送回数が何回目であるかを示す番組回数情報と、前記再生しているテレビ番組の途中で停止した場合の停止位置を示す番組停止情報とを含むことを特徴とする請求項１に記載の情報記録再生装置。
【請求項３】
前記リジューム情報に基づく最終再生ポイントとは、再生済みプレイリストがどこまでであり、その再生済みプレイリストが何回目の放送のテレビ番組であって、再生が停止した位置を示すことを特徴とする請求項１に記載の情報記録再生装置。
【請求項４】
プレイリストとしては、番組名、放送回数、録画日、視聴済、および未視聴を示す内容を含むことを特徴とする請求項１に記載の情報記録再生装置。
【発明の詳細な説明】
【技術分野】
【０００１】
本発明は、記録媒体に対してテレビ番組やその他の情報を記録したり、記録媒体に記録されたテレビ番組やその他の情報を再生したりする情報記録再生装置に関し、特に、再生する際に使用されるプレイリストの作成処理に関する。
【背景技術】
【０００２】
近年、映像情報および音声情報のデジタル化および、そのデータの圧縮技術の目覚しい発達により、磁気テープであるビデオカセットテープに対して映像音声情報を記録／再生するＶＣＲ（ビデオカセットレコーダ）に代わり、光ディスクであるＤＶＤ（デジタルバーサタイルディスク）に対して映像音声情報を記録／再生する光ディスク装置（ＤＶＤレコーダ）や、ハードディスクに対して映像音声情報を記録／再生するハードディスク装置（ハードディスクレコーダ）が普及している。
【０００３】
ところで、ＤＶＤは、ディスク１枚当たり約４．７ＧＢ程度の容量になるがハードディスクは、８０ＧＢから数百ＧＢの容量を持っているので、ハードディスクは、テレビ番組のような長時間の情報を録画するのに適している。したがって、テレビ番組を録画するのに、ハードディスク装置が用いられることが多い。
【０００４】
例えば、ハードディスク装置などを用いてテレビ番組が録画されるが、テレビ番組としては、ドラマ番組やトーク番組あるいはニュース番組などが有る。ドラマ番組は、１回切のものや、毎週決まった曜日に放送され、放送期間が１ヶ月〜１２ヶ月のものがある。また、トーク番組は、１回切りのものや、毎週決まった曜日に放送され、放送期間は未定で何年も続いているものもある。また、ニュース番組は、月曜日から金曜日まで同じ時間帯に放送されるものや、土曜日の同じ時間帯に放送されるものや、日曜日の同じ時間帯に放送されるものなどが有る。
【０００５】
このようなテレビ番組を録画するために、ハードディスク装置などに対して録画予約を行う場合、１回切りの番組については、チャンネルと放送日時を指定して、当日の録画開始時刻になれば、録画を開始させ、録画終了時刻になれば、録画を終了させるようにする１回の録画予約を行い、また、毎週や毎日などのように定期的に放送される番組については、チャンネルと放送曜日と録画開始時刻と録画終了時刻を指定して、指定曜日に録画開始時刻になれば、録画を開始させ、録画終了時刻になれば、録画を終了させるようにする周期的録画予約を行っている。
【特許文献１】特開２００６−２３６４１２号公報
【特許文献２】特開２００５−３４１３９９号公報
【特許文献３】特開２００４−３４３５２０号公報
【発明の開示】
【発明が解決しようとする課題】
【０００６】
しかしながら、従来の情報記録再生装置においては、毎週や毎日などのように定期的に放送されるシリーズもののテレビ番組をハードディスクなどの記録媒体に録画して、それらのテレビ番組を順番に連続的に視聴したい場合には、ユーザによるリモコンの操作によりプレイリストを作成する必要があり、また、再生したプレイリストがどれであるかを記憶する機能がないので、ユーザはプレイリストのどこまで視聴したかを覚えていなければならず、利便性の面で劣ると言う課題があった。
【０００７】
なお、特許文献１の従来技術には、「未再生」と「再生中」と「再生済み」との３つの状態を示す現在状態と、「新規」と「更新」と「なし」との３つの状態を示す変化状態とを示すプレイリストが開示されている。このようなプレイリストは自動的に作成され、且つプレイリストのどこまで再生したかを前記「再生済み」の表示により、ユーザがプレイリストのどこまで視聴したかを覚えておく必要がなくなるが、シリーズもののテレビ番組の場合に視聴していない放送回数（例えば弟３話）のテレビ番組があるのに、次の放送回数（例えば弟４話）以降を視聴しようとした場合には、前記次の放送回数（例えば弟４話）以降が再生されるので、ユーザにとっては利便性の面で劣ると言う課題が生じる。
【０００８】
また、特許文献２の従来技術では、連続ドラマや毎日放送される番組のように反復して録画される番組につき、録画モードとして、追記モード（連続モード）などを設けて予約録画を行い、また、視聴済・未視聴の表示を行うようにしているので、ユーザがプレイリストのどこまで視聴したかを覚えておく必要がなくなるが、この従来技術も、シリーズもののテレビ番組の場合に視聴していない放送回数（例えば弟３話）のテレビ番組があるのに、次の放送回数（例えば弟４話）以降を視聴しようとした場合には、前記次の放送回数（例えば弟４話）以降が再生されるので、ユーザにとっては利便性の面で劣ると言う課題が生じる。
【０００９】
また、特許文献３の従来技術では、該当シリーズコンテンツに含まれるシリーズ番組を少なくとも１つは未視聴かを判断するための未／既視聴情報、該当シリーズコンテンツのシリーズ番組名であるタイトル名情報、該当シリーズコンテンツの総話数や録画済み話数であるシリーズ話数情報などが表示されるが、例えば、シリーズもののドラマＡの何回かの放送分を１タイトルとしてプレイリストを構成しているので、一般的に言われる１番組に対して１タイトルとしてまとめられるプレイリストの考えた方とは異なる。
【００１０】
本発明は、上記のような課題を解決するためになされたもので、毎週や毎日などのように定期的に放送されるシリーズもののテレビ番組を視聴するためのプレイリストを自動的に作成でき、また、視聴したプレイリストがどれであるかを記憶できるようにすることにより、ユーザの利便性を向上させることができる情報記録再生装置を提供することを目的とする。
【課題を解決するための手段】
【００１１】
上記目的を達成するために、請求項１の発明は、毎週や毎日などの定期的な録画予約にて録画されたテレビ番組の番組名をプレイリストに追加するプレイリスト追加手段と、選択されたプレイリストが示す番組名のテレビ番組が再生され、再生が停止されたとき、停止された位置を示すリジューム情報をメモリに記憶させるリジューム記憶手段と、プレイリストの選択がされたとき、前記リジューム情報に基づく最終再生ポイントから再生を行う指示があったか否かを判定する再生指示判定手段と、前記リジューム情報に基づく最終再生ポイントから再生を行う指示ではなく通常の再生指示があったと判定されたとき、未視聴のテレビ番組があることを警告する警告手段と、前記未視聴のテレビ番組があることが警告された後、前記最終再生ポイントを更新する指示があったか否かを判定する更新指示判定手段と、前記最終再生ポイントを更新する指示があったと判定されたとき、または前記リジューム情報に基づく最終再生ポイントから再生を行う指示があったと判定されたとき、前記最終再生ポイントから再生を行わせる再生制御手段と、前記最終再生ポイントから再生が行われた後、前記最終再生ポイントを更新する最終再生ポイント更新手段と、を備えたことを特徴とする情報記録再生装置を提供する。
【００１２】
この構成において、毎週や毎日などの定期的な録画予約にて録画されたテレビ番組の番組名がプレイリストに追加され、選択されたプレイリストが示す番組名のテレビ番組が再生され、再生が停止されたとき、停止された位置を示すリジューム情報がメモリに記憶される。プレイリストの選択がされたとき、前記リジューム情報に基づく最終再生ポイントから再生を行う指示があったか否かが判定される。前記リジューム情報に基づく最終再生ポイントから再生を行う指示ではなく通常の再生指示があったと判定されたとき、未視聴のテレビ番組があることが警告される。前記未視聴のテレビ番組があることが警告された後、前記最終再生ポイントを更新する指示があったか否かが判定される。前記最終再生ポイントを更新する指示があったと判定されたとき、または前記リジューム情報に基づく最終再生ポイントから再生を行う指示があったと判定されたとき、前記最終再生ポイントから再生が行われる。前記最終再生ポイントから再生が行われた後、前記最終再生ポイントが更新される。
【００１３】
この構成によれば、毎週や毎日などのように定期的に放送されるシリーズもののテレビ番組を視聴するためのプレイリストを自動的に作成できるので、それらのテレビ番組を順番に連続的に視聴したい場合に、ユーザが一々操作しなくても、テレビ番組を順番に連続的に視聴することができるので、ユーザの利便性が向上する。また、視聴したプレイリストがどれであるかを記憶できるので、ユーザはプレイリストのどこまで視聴したかを覚えておく必要がなくなり、ユーザの利便性が向上する。また、視聴していない放送回数のテレビ番組があるのに、次の放送回数のテレビ番組を視聴しようとすると、未視聴のテレビ番組があることを警告するので、ユーザの利便性が向上する。また、テレビ番組のどこまで視聴したかを更新する方を選択したとき、または最終再生ポイントから再生を行う指示があったときは、前回に視聴した続きから視聴することができるので、ユーザの利便性が向上する。
【００１４】
請求項２の発明では、請求項１の発明において、前記リジューム情報としては、プレイリストのどこまで再生したかを示すプレイリスト停止位置情報と、再生しているテレビ番組の途中で停止した場合の当該テレビ番組の放送回数が何回目であるかを示す番組回数情報と、前記再生しているテレビ番組の途中で停止した場合の停止位置を示す番組停止情報とを含むので、このリジューム情報により、プレイリストのどこまで再生したか、当該テレビ番組の放送回数が何回目であるか、停止位置はどこであるかを判断することが可能になる。
【００１５】
請求項３の発明では、請求項１の発明において、前記リジューム情報に基づく最終再生ポイントとは、再生済みプレイリストがどこまでであり、その再生済みプレイリストが何回目の放送のテレビ番組であって、再生が停止した位置を示すので、再生が停止したときのプレイリストの続きから引き続き再生が可能になる。
【００１６】
請求項４の発明では、請求項１の発明において、プレイリストとしては、番組名、放送回数、録画日、視聴済、および未視聴を示す内容を含むので、ユーザは、そのプレイリストを見れば、どのプレイリストが視聴済みで、そのプレイリストが未視聴であるかを一目で知ることができる。
【発明の効果】
【００１７】
以上のように本発明によれば、毎週や毎日などのように定期的に放送されるシリーズもののテレビ番組を視聴するためのプレイリストを自動的に作成できるので、それらのテレビ番組を順番に連続的に視聴したい場合に、ユーザが一々操作しなくても、テレビ番組を順番に連続的に視聴することができるので、ユーザの利便性が向上する。また、視聴したプレイリストがどれであるかを記憶できるので、ユーザはプレイリストのどこまで視聴したかを覚えておく必要がなくなり、ユーザの利便性が向上する。また、視聴していない放送回数のテレビ番組があるのに、次の放送回数のテレビ番組を視聴しようとすると、未視聴のテレビ番組があることを警告するので、ユーザの利便性が向上する。また、テレビ番組のどこまで視聴したかを更新する方を選択したとき、または最終再生ポイントから再生を行う指示があったときは、前回に視聴した続きから視聴することができるので、ユーザの利便性が向上する。
【発明を実施するための最良の形態】
【００１８】
以下、添付図面を参照しつつ、本発明の実施の形態について説明する。図１は本発明の一実施形態に係る情報記録再生装置としてのハードディスク装置の構成を示すブロック図である。ここでは、情報記録再生装置としてハードディスク装置について説明するが、光ディスク装置（ＤＶＤレコーダ等）やビデオカセットレコーダにおいても、本発明の特徴とするプレイリスト作成処理を適用することができる。
【００１９】
図１において、ハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをＨＤ（ハードディスク）５ａに書き込んだりＨＤ５ａに記録された映像音声データを読み出したりするＨＤＤ（ハードディスクドライブ）５、およびＨＤＤ５によりＨＤ５ａから読み出した映像音声データを元の映像音声データにデコードするデコーダ部６を備えている。
【００２０】
また、このハードディスク装置Ａは、前記デコードした映像音声データのうち映像データ（システムコントローラ１０からのタイトルリスト画面のデータやメッセージデータなどがある場合はタイトルリスト画面のデータやメッセージデータなどを重畳した映像データ）を表示可能な映像信号に変換してテレビ受信機８のディスプレイ装置８１に供給するＯＳＤ（オンスクリーンディスプレイ）部７、デコーダ部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時やデコーダ部６によるデコード処理時（伸張処理時）に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、およびシステムコントローラ１０の処理に必要なプログラムやデータなどが記録されたフラッシュＲＯＭ１４を備えている。
【００２１】
システムコントローラ１０は、本実施形態の特徴とする構成要素として、毎週や毎日などの定期的な録画予約にて録画されたテレビ番組の番組名をプレイリストに追加するプレイリスト追加手段と、選択されたプレイリストが示す番組名のテレビ番組が再生され、再生が停止されたとき、停止された位置を示すリジューム情報をメモリに記憶させるリジューム記憶手段と、プレイリストの選択がされたとき、前記リジューム情報に基づく最終再生ポイントから再生を行う指示があったか否かを判定する再生指示判定手段と、前記リジューム情報に基づく最終再生ポイントから再生を行う指示ではなく通常の再生指示があったと判定されたとき、未視聴のテレビ番組があることを警告する警告手段と、前記未視聴のテレビ番組があることが警告された後、前記最終再生ポイントを更新する指示があったか否かを判定する更新指示判定手段と、前記最終再生ポイントを更新する指示があったと判定されたとき、または前記リジューム情報に基づく最終再生ポイントから再生を行う指示があったと判定されたとき、前記最終再生ポイントから再生を行わせる再生制御手段と、前記最終再生ポイントから再生が行われた後、前記最終再生ポイントを更新する最終再生ポイント更新手段とを有する。
【００２２】
前記リジューム情報としては、プレイリストのどこまで再生したかを示すプレイリスト停止位置情報と、再生しているテレビ番組の途中で停止した場合の当該テレビ番組の放送回数が何回目であるかを示す番組回数情報と、前記再生しているテレビ番組の途中で停止した場合の停止位置を示す番組停止情報とを含んでいる。前記リジューム情報に基づく最終再生ポイントとは、再生済みプレイリストがどこまでであり、その再生済みプレイリストが何回目の放送のテレビ番組であって、再生が停止した位置を示す。プレイリストとしては、番組名、放送回数、録画日、視聴済、および未視聴を示す内容を含んでいる。
【００２３】
図２は本実施形態においてプレイリストの内容の一例を示すプレイリスト画面図である。このプレイリストでは、説明を分かり易くするために、毎週放送されるシリーズもののドラマＡが録画された場合の内容を示す。このプレイリストによれば、ハードディスクに録画されているタイトルNo.１のドラマＡは、２００７年６月１日に１回目の放送がされて録画されたものであり、視聴済であることを示している。
【００２４】
タイトルNo.２のドラマＡは、２００７年６月８日に２回目の放送がされて録画されたものであり、視聴済であることを示している。タイトルNo.３のドラマＡは、２００７年６月１５日に３回目の放送がされて録画されたものであり、視聴済であることを示している。タイトルNo.４のドラマＡは、２００７年６月２２日に４回目の放送がされて録画されたものであり、未視聴であることを示している。タイトルNo.５のドラマＡは、２００７年６月２９日に５回目の放送がされて録画されたものであり、未視聴であることを示している。
【００２５】
図３は本実施形態において毎週や毎日などのように定期的に放送されるテレビ番組を録画予約録画予約から録画終了までの処理を説明するためのフローチャートである。このフローチャートおよび図１、図２を参照して毎週や毎日などのように定期的に放送されるテレビ番組を録画予約から録画終了までの処理について説明する。
【００２６】
ハードディスク装置Ａに電源が投入され、ハードディスク装置Ａが立ち上がった後、リモコン１３の録画予約に関する所定の操作が行われると、システムコントローラ１０は、録画予約の操作がされたことを検出し（ステップＳ１）、フラッシュＲＯＭ１４から読み出した録画予約画面データにより、テレビ受信機８のディスプレイ装置８１に録画予約画面を表示させる（ステップＳ２）。
【００２７】
ここで、ユーザは録画予約画面を見ながらリモコン１３を操作して、録画予約画面に予約情報を入力する。この入力される予約情報としては、録画したいテレビ番組が放送されるチャンネル番号、録画日、録画開始時刻、録画終了時刻、および録画モードなどの情報がある。
【００２８】
このような予約情報が入力されると、システムコントローラ１０の予約情報登録手段は、予約情報が入力されたことを検出し（ステップＳ３）、その予約情報をフラッシュＲＯＭ１４に登録する（ステップＳ４）。以上の処理により、録画したい定期的に放送されるテレビ番組に対する録画予約の設定が完了する。そして、システムコントローラ１０は、図示いないタイマで計時されている現在時刻が予約情報に含まれる録画予定日の録画開始時刻になったことを検出すると（ステップＳ５）、録画予約されているテレビ番組の録画を開始する（ステップＳ６）。
【００２９】
録画予約されたテレビ番組の録画を開始し（ステップＳ６）、システムコントローラ１０は、そのテレビ番組に対する録画終了時刻になったことを検出すれば、（ステップＳ７）、ＨＤＤ５の録画動作を停止させ、ＨＤ５ａへの録画を終了させる（ステップＳ８）。そして、システムコントローラ１０のプレイリスト追加手段は、毎週や毎日などの定期的な録画予約にて録画されたテレビ番組の番組名をプレイリストに追加する（ステップＳ９）。その録画されたテレビ番組がドラマＡであれば、例えば、図２に示すプレイリストのように、ドラマＡが番組名として追加される。
【００３０】
図４は本実施形態においてプレイリスト中のテレビ番組を再生させる場合の処理を説明するためのフローチャートである。このフローチャートおよび図１、図２を参照してプレイリスト中のテレビ番組を再生させる場合の処理について説明する。
【００３１】
先ず、ユーザは、再生させたいテレビ番組を選択するため、リモコン１３のプレイリストキーを押下すると、システムコントローラ１０は、プレイリスト表示指示があったことを検出し（ステップＮ１）、ＨＤ５ａからプレイリストデータを、ＨＤＤ５を介して読み出し、デコーダ部６およびＯＳＤ７の処理を経て、プレイリスト画面信号としてテレビ受信機８のディスプレイ装置８１に供給し、これにより、ディスプレイ装置８１にプレイリスト画面を表示させる（ステップＮ２）。
【００３２】
そして、ユーザは、ディスプレイ装置８１に表示されたプレイリスト画面を見て、再生させたいテレビ番組の番組名を示すプレイリストをリモコン１３の操作により選択すると、システムコントローラ１０は、再生させたいテレビ番組の番組名を示すプレイリストが選択されたことを検出し（ステップＮ３）、この後、プレイリスト画面を消去し（ステップＮ４）、最終再生ポイント選択画面をディスプレイ装置８１に表示させる（ステップＮ５）。
【００３３】
次に、ユーザは、その最終再生ポイント選択画面を見て、最終再生ポイントから再生する方を選択すると、システムコントローラ１０の再生指示判定手段は、フラッシュＲＯＭ１４に記憶されたリジューム情報に基づく最終再生ポイントから再生を行う指示があったと判定する（ステップＮ６）。前記リジューム情報に基づく最終再生ポイントから再生を行う指示があったと判定されたとき、システムコントローラ１０の再生制御手段は、フラッシュＲＯＭ１４からリジューム情報を読み出し、このリジューム情報に基づいて最終再生ポイントを取得し、この最終再生ポイントに対応するＨＤ５ａのアドレスから情報を読み出すようにＨＤＤ５を制御し、前回リジューム停止した最終再生ポイントから再生を行う（ステップＮ９）。
【００３４】
前記最終再生ポイントから再生が行われた後、最終再生ポイント更新手段は、前記最終再生ポイントを更新する（ステップＮ１０）。再生に従って再生ポイントが変わって行くので、最終再生ポイント更新手段は、ＨＤ５ａよりＨＤＤ５を介して、例えば１秒毎に再生ポイントを取得して最終再生ポイントを更新する。なお、最終再生ポイントは、当該テレビ番組の再生が終了したときに、更新させても良い。
【００３５】
そして、システムコントローラ１０は、当該テレビ番組の再生が終了したことを検出すると（ステップＮ１１）、当該テレビ番組を視聴したことを示す視聴済情報をフラッシュＲＯＭ１４に記憶させる（ステップＮ１３）。その視聴済情報は、例えば、図２に示すプレイリスト画面において、使用済であるか未視聴であるかを表示するのに利用される。
【００３６】
一方、ユーザは、その最終再生ポイント選択画面を見て、最終再生ポイントから再生しない方を選択すると、システムコントローラ１０の再生指示判定手段は、フラッシュＲＯＭ１４に記憶されたリジューム情報に基づく最終再生ポイントから再生を行う指示がなかったと判定し（ステップＮ６）、即ち、リジューム情報に基づく最終再生ポイントから再生を行う指示ではなく通常の再生指示があったと判定し、システムコントローラ１０の警告手段は、未視聴のテレビ番組があることを示すメッセージをディスプレイ装置８１に表示させ、ユーザに警告する（ステップＮ７）。
【００３７】
未視聴のテレビ番組があることが警告された後、ユーザが、最終再生ポイントを更新させる指示をリモコン１３により行うと、システムコントローラ１０の更新指示判定手段は、最終再生ポイントを更新する指示があったと判定する（ステップＮ８）。このように、前記最終再生ポイントを更新する指示があったと判定されたとき、前述したステップＮ９，Ｎ１０，Ｎ１１，Ｎ１３の処理が実行される。
【００３８】
一方、ステップＮ８において、最終再生ポイントを更新する指示がなかったと判定されたときは、どこまで再生したかを記憶せずに、通常の再生を行う（ステップＮ１２）。そして、システムコントローラ１０は、当該テレビ番組の再生が終了したことを検出すると（ステップＮ１１）、当該テレビ番組を視聴したことを示す視聴済情報をフラッシュＲＯＭ１４に記憶させる（ステップＮ１３）。
【００３９】
以上説明したように本実施形態によれば、毎週や毎日などのように定期的に放送されるシリーズもののテレビ番組を視聴するためのプレイリストを自動的に作成できるので、それらのテレビ番組を順番に連続的に視聴したい場合に、ユーザが一々操作しなくても、テレビ番組を順番に連続的に視聴することができるので、ユーザの利便性が向上する。また、視聴したプレイリストがどれであるかを記憶できるので、ユーザはプレイリストのどこまで視聴したかを覚えておく必要がなくなり、ユーザの利便性が向上する。また、視聴していない放送回数のテレビ番組があるのに、次の放送回数のテレビ番組を視聴しようとすると、未視聴のテレビ番組があることを警告するので、ユーザの利便性が向上する。また、テレビ番組のどこまで視聴したかを更新する方を選択したとき、または最終再生ポイントから再生を行う指示があったときは、前回に視聴した続きから視聴することができるので、ユーザの利便性が向上する。
【産業上の利用可能性】
【００４０】
本発明は、ハードディスク装置や光ディスク装置あるいはビデオカセットレコーダなどの情報記録再生装置におけるプレイリストの作成機能に利用可能である。
【図面の簡単な説明】
【００４１】
【図１】本発明の一実施形態に係る情報記録再生装置としてのハードディスク装置の構成を示すブロック図である。
【図２】前記実施形態においてプレイリストの内容の一例を示すプレイリスト画面図である。
【図３】前記実施形態において毎週や毎日などのように定期的に放送されるテレビ番組を録画予約録画予約から録画終了までの処理を説明するためのフローチャートである。
【図４】前記実施形態においてプレイリスト中のテレビ番組を再生させる場合の処理を説明するためのフローチャートである。
【符号の説明】
【００４２】
Ａ    ハードディスク装置（情報記録再生装置）
５ａ    ハードディスク（記録媒体）
１０    システムコントローラ（プレイリスト追加手段、リジューム記憶手段、再生指示判定手段、警告手段、更新指示判定手段、再生制御手段、最終再生ポイント更新手段）
１４    フラッシュＲＯＭ（メモリ）
【図１】
2009037682.tif 000003
【図２】
2009037682.tif 000004
【図３】
2009037682.tif 000005
【図４】
2009037682.tif 000006